(57)【要約】【課題】建物の外壁や内壁の壁面に壁部材を取付けるときに、美観性を損なうことなく容易且つ簡便に壁部材の取付けおよび取外しができる壁部材取付方法を提供すること。【解決手段】複数の壁部材１１０を建物の壁１０の壁面に取付けた壁構造１００における壁部材取付方法によれば、複数の壁部材１１０のうち少なくとも１つの壁部材１１０を固定する固定部材１５０を建物の壁１０の壁面に取付ける工程と、複数の壁部材１１０のうちの壁部材１１０ａを固定部材１５０に取付ける工程と、複数の壁部材１１０のうちの壁部材１１０ｂを壁部材１１０ａと並べて位置決めするとともに固定部材１５０に取付ける工程と、からなり、壁部材１１０ｂは、壁部材１１０ａとの間の目地において、固定部材１５０の装飾が施された露出部が露出するように固定部材１５０に取付けられている。【選択図】  図１−１
2020139374.tif 000002
【特許請求の範囲】
【請求項１】
複数の壁部材を建物の壁面に取付ける壁部材取付方法であって、
前記複数の壁部材のうち少なくとも１つの壁部材を固定する固定部材を前記建物の壁面に取付ける工程と、
前記複数の壁部材のうちの第１壁部材を前記固定部材に取付ける工程と、
前記複数の壁部材のうちの第２壁部材を前記第１壁部材と並べて位置決めするとともに前記固定部材に取付ける工程と、
からなり、
前記第２壁部材は、前記第１壁部材との間の目地において、前記固定部材が露出するように前記固定部材に取付けられる
ことを特徴とする壁部材取付方法。
【請求項２】
建物の壁面に設けられ、少なくとも１つの壁部材を固定する固定部材であって、
前記少なくとも１つの壁部材を固定する位置を決めるための位置決め部と、
前記位置決め部によって位置決めされた前記少なくとも１つの壁部材によって覆われる被覆部と、
前記位置決め部によって位置決めされた前記少なくとも１つの壁部材によって被覆されない露出部と、
を備える
ことを特徴とする固定部材。
【請求項３】
請求項２に記載の固定部材において、
建物の壁面に設けられる部分である設置部と、
切り取られる部分である切取部と、
が形成され、
前記切取部には、前記露出部が形成されている
ことを特徴とする固定部材。
【請求項４】
請求項２または請求項３に記載の固定部材において、
前記露出部は、色彩または装飾が施された意匠部を有する
ことを特徴とする固定部材。
【請求項５】
請求項２〜請求項４のうちいずれかに記載の固定部材を用いて建物の壁面に複数の壁部材を固定した壁構造であって、
建物の壁面に複数の前記固定部材が取付けられており、前記複数の固定部材のうちの１つの前記固定部材の前記位置決め部によって少なくとも１つの壁部材が位置決めされ、前記位置決め部によって位置決めされた前記少なくとも１つの壁部材と並べて位置決めされた前記複数の壁部材のうちの１つの前記壁部材と前記少なくとも１つの壁部材との間の目地において前記露出部が露出している
ことを特徴とする壁構造。
【発明の詳細な説明】
【技術分野】
【０００１】
本発明は、建物の外壁や内壁の壁面に壁部材を取付けるときの壁部材取付方法、当該壁部材取付方法で用いる壁部材の固定部材、および当該壁部材の固定部材を用いた壁構造に関するものである。
【背景技術】
【０００２】
一般的に、建物の外壁や内壁の壁面にタイル等の壁部材を取付けるときの壁部材取付方法としては、様々な施工法があるが、例えば、後張り工法や乾式工法といったものがある。後張り工法とは、下地面にモルタルを塗り付けておき、そのモルタルにタイル等の壁部材を埋め込むように取付ける施工法である。乾式工法とは、タイル等の壁部材を取付けるための横棧と横棧を固定するための縦棧といったベースを建物の外壁に設け、外壁に固定されたベースの横棧の凸部に壁部材の裏面の凹溝を嵌め込むことによって外壁に壁部材を取付ける施工法である。そして、このような乾式工法は、作業者が複数の壁部材を横棧の所定の位置に嵌め込んで取付けるといった作業であるため、複数の壁部材を各々の間隔が均等となるように注意しながらモルタルに埋め込む後張り工法に比べて、壁部材を容易に取付けることができる施工法として好適なものとされている。（例えば、特許文献１を参照。）。
【先行技術文献】
【特許文献】
【０００３】
【特許文献１】特開平１０−２０９１号公報
【発明の概要】
【発明が解決しようとする課題】
【０００４】
ところが、上述のような従来の壁部材の施工法では、壁部材と壁部材との間の目地において、横棧および縦棧といったベース等が露出して美観性を損なうため、壁部材を取付けた後に目地を目地材で埋めたり、上述の特許文献１のように目地の部分を覆うような形状の壁部材を使用したりして、目地でのベース等の露出を防ぐ必要があった。このように目地を目地材で埋める場合には、壁部材の表面に目地材が掛かって美観性を損なわないように注意しながら目地に目地材を埋める必要があるため、作業者にとっては手間である、という問題があった。また、目地を目地材で埋める作業においては、ある程度の修練や技術が必要であるため、技術力の乏しい作業者や初心者にとっては難しい作業である、という問題もあった。さらに、上述の特許文献１のように目地の部分を覆うような形状の壁部材を使用すると、一方の壁部材の目地の部分に他方の壁部材の一部が覆い被さるように取付けられるため、例えば、施工中に破損や汚れ等で一方の壁部材のみを交換するときに、他方の壁部材を取外してから破損等した一方の壁部材を取外して交換する、といったように容易に交換作業をすることができない、という問題もあった。
【０００５】
本発明は、こうした問題に鑑みなされたもので、建物の外壁や内壁の壁面に壁部材を取付けるときに、美観性を損なうことなく容易且つ簡便に壁部材の取付けおよび取外しができる壁部材取付方法、壁部材の固定部材、および壁構造の提供を目的とする。
【課題を解決するための手段】
【０００６】
本発明は、上述の課題の少なくとも一部を解決するためになされたものであり、以下の適用例として実現することが可能である。なお、本欄における括弧内の参照符号や補足説明等は、本発明の理解を助けるために、後述する実施形態との対応関係を示したものであって、本発明を何ら限定するものではない。
【０００７】
本発明の適用例である複数の壁部材（１１０）を建物の壁面（１０）に取付ける壁部材取付方法では、複数の壁部材のうち少なくとも１つの壁部材を固定する固定部材（１５０，２５０，３５０）を建物の壁面に取付ける工程と、複数の壁部材のうちの第１壁部材（１１０ａ）を固定部材に取付ける工程と、複数の壁部材のうちの第２壁部材（１１０ｂ）を第１壁部材と並べて位置決めするとともに固定部材に取付ける工程と、からなり、第２壁部材は、第１壁部材との間の目地において、固定部材が露出するように固定部材に取付けられることを要旨とする。
【０００８】
本発明の適用例である建物の壁面（１０）に設けられ、少なくとも１つの壁部材（１１０）を固定する固定部材（１５０，２５０，３５０）では、少なくとも１つの壁部材を固定する位置を決めるための位置決め部（１８０，２８０，３８０ａ〜３８０ｃ）と、位置決め部によって位置決めされた少なくとも１つの壁部材によって覆われる被覆部（１６５，２６５，３６５）と、位置決め部によって位置決めされた少なくとも１つの壁部材によって被覆されない露出部（１６０，２６０，３６０）と、を備えることを要旨とする。
【０００９】
また、上述の適用例の固定部材（１５０，２５０，３５０）では、建物の壁面（１０）に設けられる部分である設置部（１６５，２６５，３６５，１８０，２８０，３８０ａ〜３８０ｃ）と、切り取られる部分である切取部（１６０，２６０，３６０）と、が形成され、切取部には、露出部が形成されていてもよい。
【００１０】
さらに、上述の適用例の固定部材（１５０，２５０，３５０）では、露出部は、色彩または装飾が施された意匠部（１６０，２６０，３６０）を有していてもよい。
【００１１】
そして、上述の適用例の固定部材（１５０，２５０，３５０）を用いて建物の壁面（１０）に複数の壁部材を固定した壁構造（１００，２００，３００）では、建物の壁面に複数の固定部材が取付けられており、複数の固定部材のうちの１つの固定部材の位置決め部によって少なくとも１つの壁部材が位置決めされ、位置決め部によって位置決めされた少なくとも１つの壁部材と並べて位置決めされた複数の壁部材のうちの１つの壁部材と少なくとも１つの壁部材との間の目地において露出部が露出していることを要旨とする。
【図面の簡単な説明】
【００１２】
【図１−１】第１実施形態の壁構造１００の概略構造を示す図であり、（Ａ）は壁構造１００の概略構造を示す正面図であり、（Ｂ）は壁構造１００のＡ−Ａ断面図である。
【図１−２】第１実施形態の壁構造１００に用いられる壁部材１１０および固定部材１５０の概略構成を示す図であり、（Ａ）は壁部材１１０の斜視図であり、（Ｂ）は固定部材１５０の斜視図である。
【図１−３】第１実施形態の壁構造１００における壁部材１１０および固定部材１５０の取付方法を説明する図であり、（Ａ）は複数の固定部材１５０が壁１０に取付けられた状態を示す図であり、（Ｂ）は複数の固定部材１５０が壁１０に取付けられた状態を示す図であり、（Ｃ）は複数の壁部材１１０が複数の固定部材１５０に取付けられた状態を示す図である。
【図２】第２実施形態としての固定部材２５０を用いた壁構造２００の概略構造を説明する図であり、（Ａ）は固定部材２５０の斜視図であり、（Ｂ）は壁構造２００の概略構造を示す正面図である。
【図３】第３実施形態としての固定部材３５０を用いた壁構造３００の概略構造を説明する図であり、（Ａ）は固定部材３５０の斜視図であり、（Ｂ）は壁構造３００の概略構造を示す正面図である。
【図４】その他の実施形態としての固定部材４５０，５５０の概略構成を説明する図であり、（Ａ）は固定部材４５０における係止部４８０の部分の斜視図であり、（Ｂ）は固定部材５５０における係止部５８０の部分の斜視図である。
【発明を実施するための形態】
【００１３】
以下、本発明が適用された実施形態について図面を用いて説明する。なお、本発明の実施の形態は、下記の実施形態に何ら限定されることはなく、本発明の技術的範囲に属する限り種々の形態を採りうる。
【００１４】
［第１実施形態］
＜壁構造１００の説明＞
図１−１を参照して、まず、本実施形態の壁構造１００の構造について説明する。図１−１は、第１実施形態の壁構造１００の概略構造を示す図であり、（Ａ）は壁構造１００の概略構造を示す正面図であり、（Ｂ）は壁構造１００のＡ−Ａ断面図である。図１−１（Ａ）および（Ｂ）に示すように、本実施形態の壁構造１００は、建物の壁１０に対して複数の壁部材１１０と複数の固定部材１５０とが固定された構造であって、壁１０に複数の固定部材１５０が取付けられているとともに、複数の固定部材１５０の各々の表面に１つの壁部材１１０が固定された構造である。なお、本実施形態において、以下の説明では、便宜上、壁１０に対して取付けられている６つの壁部材１１０ａ〜１１０ｆと６つの固定部材１５０ａ〜１５０ｆに着目して説明する。
【００１５】
図１−１（Ａ）に示すように、壁構造１００において、固定部材１５０ａ〜１５０ｃは壁１０の上下方向に上から順に同じ列上に壁１０に取付けられており、固定部材１５０ｄ〜１５０ｆは固定部材１５０ａ〜１５０ｃに対して壁１０の水平方向に横並びであって壁１０の上下方向に上から順に同じ列上に壁１０に取付けられている。また、壁部材１１０ａは固定部材１５０ａに、壁部材１１０ｂは固定部材１５０ｂに、壁部材１１０ｃは固定部材１５０ｃに、壁部材１１０ｄは固定部材１５０ｄに、壁部材１１０ｅは固定部材１５０ｅに、壁部材１１０ｆは固定部材１５０ｆに、各々が固定されている。さらに、壁部材１１０ａと壁部材１１０ｂとの間、壁部材１１０ｂと壁部材１１０ｃとの間、壁部材１１０ｄと壁部材１１０ｅとの間、壁部材１１０ｅと壁部材１１０ｆとの間、といったように同じ列上に壁１０の上下方向で並ぶ２つの壁部材１１０の間の目地においては、固定部材１５０の一部が壁１０の正面から視認可能に露出している。なお、壁部材１１０ａと壁部材１１０ｄと、壁部材１１０ｂと壁部材１１０ｅと、壁部材１１０ｃと壁部材１１０ｆと、といったように壁１０の水平方向に横並びで並ぶ２つの壁部材１１０は隣接しており、これら２つの壁部材１１０の間の目地においては、固定部材１５０が壁１０の正面から視認できず露出していない。
【００１６】
図１−１（Ｂ）に示すように、壁部材１１０ａの上方では、壁部材１１０ａが固定されている固定部材１５０ａの一部が壁１０の正面から視認可能とならないように切り取られている。また、壁部材１１０ｂの上方、つまり、壁部材１１０ａと壁部材１１０ｂとの間の目地では、壁部材１１０ｂが固定されている固定部材１５０ｂの一部が壁１０の正面から視認可能に露出している。さらに、壁部材１１０ｃの上方、つまり、壁部材１１０ｂと壁部材１１０ｃとの間の目地では、壁部材１１０ｃが固定されている固定部材１５０ｃの一部が壁１０の正面から視認可能に露出している。したがって、この壁構造１００において、複数の固定部材１５０と複数の壁部材１１０が取付けられている部分では、壁１０の壁面が正面から視認できず露出していないような構造となっている。また、この壁構造１００において、固定部材１５０に壁部材１１０が取付けられている部分では、壁１０の壁面および固定部材１５０が壁１０の正面から視認できず露出していないような構造となっている。さらに、この壁構造１００において、壁１０の上下方向の最も上方となる位置に取付けられた壁部材１１０の上方では、壁１０の壁面が正面から視認可能で露出しているものの、固定部材１５０が壁１０の正面から視認できず露出していないような構造となっている。
【００１７】
＜壁部材１１０および固定部材１５０の説明＞
図１−２を参照して、次に、本実施形態の壁構造１００に用いられる壁部材１１０および固定部材１５０の構成について説明する。図１−２は、第１実施形態の壁構造１００に用いられる壁部材１１０および固定部材１５０の概略構成を示す図であり、（Ａ）は壁部材１１０の斜視図であり、（Ｂ）は固定部材１５０の斜視図である。
【００１８】
図１−２（Ａ）に示すように、壁部材１１０は、略直方体の形状のせっ器質のものであり、壁１０に取付けられた場合の表面には釉薬が施されている部材である。壁部材１１０は、第１裏面１２５、スリット１３０、および第２裏面１４０が形成されており、裏面に形成されているスリット１３０によって第１裏面１２５と第２裏面１４０とに裏面が分けられている。スリット１３０は、裏面に対して約６０度をなす凹状の切れ込みであり、後述する固定部材１５０の係止部１８０と嵌合する形状である。なお、壁部材１１０が壁１０に対して取付けられると、第１裏面１２５が上側となるように配設され、第２裏面１４０が第１裏面１２５に対して下側となるように配設される。
【００１９】
図１−２（Ｂ）に示すように、固定部材１５０は、樹脂製（例えば、ポリ塩化ビニル）の成型品であり、壁１０に取付けられた場合の表面に対する左側面の断面形状が「レ」形状となっている部材である。固定部材１５０は、露出部１６０、被覆部１６５、切断線１７０、および係止部１８０が形成されている。露出部１６０は、壁１０に取付けられた場合の上部に形成された部分であり、所定の色彩の模様等（例えば、朱色の網目模様）による装飾が表面に施された部分である。被覆部１６５は、壁１０に取付けられた場合の下部に形成された部分であり、壁部材１１０が取付けられたときに壁部材１１０の第１裏面１２５によって表面が覆われる部分である。切断線１７０は、露出部１６０と被覆部１６５との境界となる位置に形成されており、後述するように壁１０に固定部材１５０が取付けられる場合にカッター等で切断するための目印となる線である。係止部１８０は、表面に対して約６０度をなす突起であって、固定部材１５０の表面の下辺に形成されており、上述のように壁部材１１０のスリット１３０に嵌合する形状となっている。
【００２０】
＜壁構造１００における壁部材１１０および固定部材１５０の取付方法の説明＞
図１−３を参照して、次に、本実施形態の壁構造１００における壁部材１１０および固定部材１５０の取付方法を説明する。図１−３は、第１実施形態の壁構造１００における壁部材１１０および固定部材１５０の取付方法を説明する図であり、（Ａ）は複数の固定部材１５０が壁１０に取付けられた状態を示す図であり、（Ｂ）は複数の固定部材１５０が壁１０に取付けられた状態を示す図であり、（Ｃ）は複数の壁部材１１０が複数の固定部材１５０に取付けられた状態を示す図である。
【００２１】
図１−３（Ａ）に示すように、本実施形態の取付方法において、まず、複数の固定部材１５０、例えば、固定部材１５０ａ〜１５０ｃは、タッカーでステープルを表面に打ち込まれることによって壁１０に対して固定される。このとき、固定部材１５０ａと固定部材１５０ｂと、および固定部材１５０ｂと固定部材１５０ｃと、が壁１０の上下方向に隣接するように取付けられる。つまり、壁構造１００において、固定部材１５０が取付けられている部分では、壁１０が正面から視認できず露出しないようになっている。
【００２２】
図１−３（Ｂ）に示すように、本実施形態の取付方法において、次に、壁１０に固定された複数の固定部材１５０のうち、壁１０の上下方向で最上段となる位置に取付けられた複数の固定部材１５０、例えば、固定部材１５０ａでは、露出部１６０を切り取るようにカッター等によって切断線１７０で切断される。このように、壁１０における最上段となる位置に取付けられた複数の固定部材１５０における露出部１６０が切り取られることによって、最上段の複数の固定部材１５０の上方で固定部材１５０の一部が壁１０の正面から視認不可能となるような壁構造１００となる（図１−１（Ａ）および（Ｂ）を参照。）。
【００２３】
図１−３（Ｃ）に示すように、本実施形態の取付方法において、そして、壁１０に固定された複数の固定部材１５０の各々に、複数の壁部材１１０を１つずつ固定させることで、壁構造１００が形成される。このとき、複数の固定部材１５０の各々の係止部１８０に複数の壁部材１１０の各々のスリット１３０を、例えば、固定部材１５０ａに壁部材１１０ａを、固定部材１５０ｂに壁部材１１０ｂを、固定部材１５０ｃに壁部材１１０ｃを、嵌め込んで位置決めするとともに、複数の壁部材１１０のスリット１３０に塗布された接着剤によって固定されることとなる。つまり、固定部材１５０の係止部１８０は、壁１０に対する壁部材１１０の取付けられる位置を決めるための位置決めとしての機能を有することとなる。
【００２４】
このように形成された壁構造１００においては、固定部材１５０の被覆部１６５が壁部材１１０の第１裏面１２５によって覆われているため、固定部材１５０の被覆部１６５は壁１０の正面から視認できず露出しないようになっている。一方で、固定部材１５０の露出部１６０は、同じ列上に壁１０の上下方向で並ぶ２つの壁部材１１０の間の目地において、壁１０の正面から視認可能で露出している。また、壁１０の上下方向に隣接するように取付けられた２つの固定部材１５０の境界となる部分は、上側に取付けられた壁部材１１０により覆われて、壁１０の正面から視認できず露出しないようになっている。具体的には、例えば、固定部材１５０ａと固定部材１５０ｂとの間は、壁部材１１０ａの第２裏面１４０によって覆われているため、壁１０の正面から視認できず露出しないようになっている（図１−１（Ｂ）を参照。）。つまり、壁構造１００において、同じ列上に壁１０の上下方向で並ぶ２つの壁部材１１０の間の目地では、固定部材１５０の露出部１６０の表面に施された装飾のみが視認できるように露出しており、一方で、壁１０の水平方向に横並びで並ぶ２つの壁部材１１０の間では、固定部材１５０の被覆部１６５が壁１０の正面から視認できず露出しないようになっている。なお、壁構造１００における最下段に取付けられた壁部材１１０の下方では、最下段の壁部材１１０の下方に固定部材１５０が取付けられていないため、固定部材１５０が露出するようなことはない。
【００２５】
［第２実施形態］
図２を参照して、次に、第２実施形態の壁構造２００および固定部材２５０について説明する。図２は、第２実施形態としての固定部材２５０を用いた壁構造２００の概略構造を説明する図であり、（Ａ）は固定部材２５０の斜視図であり、（Ｂ）は壁構造２００の概略構造を示す正面図である。なお、第２実施形態における壁部材は、第１実施形態と同様の壁部材１１０であるため、壁部材１１０の構成についての説明は省略する。
【００２６】
図２（Ａ）に示すように、固定部材２５０は、第１実施形態の固定部材１５０と同様の樹脂製の成型品であり、露出部２６０、被覆部２６５、切取線２７０、および係止部１８０が形成されている。また、固定部２５０は、壁１０に取付けられた場合の表面に対する左側面の断面形状が「レ」形状となっているものの、複数の壁部材１１０（例えば、３個）が取付け可能となった部材である。つまり、固定部材２５０は、壁１０に取付けられた場合の壁１０の水平方向において、第１実施形態の固定部材１５０に比べて長くなった形状である。なお、固定部材２５０において、露出部２６０、被覆部２６５、切取線２７０、および係止部１８０は、第１実施形態の固定部材１５０と略同様の態様であって、壁１０に取付けられた場合の壁１０の水平方向において、第１実施形態の固定部材１５０に比べて長くなった形態である。
【００２７】
図２（Ｂ）に示すように、壁構造２００は、第１実施形態の壁構造１００と略同様の取付方法で形成することができ、壁１０に取付けられた１つの固定部材２５０に壁１０の水平方向に横並びで３つの壁部材１１０を取付けることで形成される。また、壁構造２００においても、同じ列上に壁１０の上下方向で並ぶ２つの壁部材１１０の間の目地では、固定部材２５０の露出部２６０の表面に施された装飾のみが視認できるように露出しており、一方で、壁１０の水平方向に横並びで並ぶ２つの壁部材１１０の間では、固定部材２５０が壁１０の正面から視認できず露出しないようになっている。なお、第１実施形態の壁構造１００とは異なり、壁部材１１０ａと壁部材１１０ｂとの間、壁部材１１０ｄと壁部材１１０ｅとの間、といったように壁１０の上下方向で並ぶ２つの壁部材１１０の間の目地においては、壁部材１１０ａに対して壁１０の水平方向に横並びで並ぶ２つの壁部材１１０（壁部材１１０ｄ等）の下方に至るまで、固定部材２５０ｂの露出部２６０が露出している。つまり、壁構造２００において、壁１０の水平方向に横並びで並ぶ３つの壁部材１１０の下方の目地では、第１実施形態の壁構造１００のように、壁１０の水平方向に横並びで並ぶ３つの固定部材１５０の継ぎ目が形成されないような構造である。
【００２８】
［第３実施形態］
図３を参照して、次に、第３実施形態の壁構造３００および固定部材３５０について説明する。図３は、第３実施形態としての固定部材３５０を用いた壁構造３００の概略構造を説明する図であり、（Ａ）は固定部材３５０の斜視図であり、（Ｂ）は壁構造３００の概略構造を示す正面図である。なお、第３実施形態における壁部材は、第１実施形態および第２実施形態と同様の壁部材１１０であるため、壁部材１１０の構成についての説明は省略する。
【００２９】
図３（Ａ）に示すように、固定部材３５０は、第２実施形態の固定部材２５０と同様の樹脂製の成型品であって、複数の壁部材１１０（例えば、３個）が取付け可能な部材であり、露出部３６０、被覆部３６５、切取線３７０、および３つの係止部３８０ａ〜３８０ｃが形成されている。係止部３８０ａ〜３８０ｃは、各々が第１実施形態の固定部材１５０の係止部１８０と略同じ形状であり、各々に１つの壁部材１１０のスリット１３０が嵌合する。被覆部３６５は、壁部材１１０が取付けられたときに壁部材１１０の第１裏面１２５および第２裏面１４０によって一部が覆われる部分であり、所定の色彩の模様等（例えば、朱色のストライプ模様）による装飾が施された部分である。また、被覆部３６５においては、壁１０に取付けられたときの上下方向の略中央に３つの係止部３８０ａ〜３８０ｃが形成されており、係止部３８０ａ〜３８０ｃの上方の部分が第１裏面１２５によって覆われ、係止部３８０ａ〜３８０ｃの下方の部分が第２裏面１４０によって覆われる。なお、固定部材３５０において、露出部３６０および切取線３７０は、第２実施形態の固定部材２５０と略同様の形態である。
【００３０】
図３（Ｂ）に示すように、壁構造３００は、第２実施形態の壁構造２００と略同様の取付方法で形成することができ、壁１０に取付けられた１つの固定部材３５０に壁１０の水平方向に横並びで３つの壁部材１１０を取付けることで形成される。また、壁構造３００においても、同じ列上に壁１０の上下方向で並ぶ２つの壁部材１１０の間の目地では、露出部２６０の表面に施された装飾のみが視認できるように露出している。なお、第１実施形態の壁構造１００および第２実施形態の壁構造２００とは異なり、壁構造３００では、１つの固定部材３５０において壁１０の水平方向に横並びで並ぶ３つの壁部材１１０の間の目地において、固定部材３５０の被覆部３６５の表面に施された装飾の一部が視認できるように露出している。
【００３１】
［実施形態の効果］
上述の実施形態の複数の壁部材１１０を建物の壁１０の壁面に取付けた壁構造１００，２００，３００における壁部材取付方法によれば、複数の壁部材１１０のうち少なくとも１つの壁部材１１０を固定する固定部材１５０，２５０，３５０を建物の壁１０の壁面に取付ける工程と、複数の壁部材１１０のうちの壁部材１１０ａを固定部材１５０，２５０，３５０に取付ける工程と、複数の壁部材１１０のうちの壁部材１１０ｂを壁部材１１０ａと並べて位置決めするとともに固定部材１５０，２５０，３５０に取付ける工程と、からなり、壁部材１１０ｂは、壁部材１１０ａとの間の目地において、固定部材１５０，２５０，３５０の一部が露出するように固定部材１５０，２５０，３５０に取付けられている。
【００３２】
このような壁構造１００，２００，３００における壁部材取付方法であれば、同じ列上に壁１０の上下方向で並ぶ２つの壁部材１１０の間の目地では、固定部材１５０，２５０，３５０の露出部１６０，２６０，３６０の表面に施された装飾のみが視認可能に露出するような構造にすることができる。また、壁構造３００における壁部材取付方法であれば、壁１０の水平方向に横並びで並ぶ２つの壁部材１１０の間の目地では、固定部材３５０の被覆部３６５の表面に施された装飾の一部のみが視認可能に露出するような構造にすることができる。さらに、固定部材１５０，２５０，３５０の係止部１８０，２８０，３８０ａ〜３８０ｃに壁部材１１０のスリット１３０を嵌め込むことによって、壁部材１１０が壁１０に対して固定される適切な位置に位置決めすることができる。したがって、このような壁部材取付方法であれば、従来のように目地材を用いたり目地の部分を覆うような形状の壁部材を用いたりする場合に比べ、建物の外壁や内壁の壁面に壁部材を取付けるときに、容易且つ簡便に壁部材を取付けることができる。また、目地材等を用いて目地が埋められていないため、施工中に破損や汚れ等で壁部材を交換するときに、当該壁部材のみを取外して交換することができる。
【００３３】
上述の実施形態の建物の壁１０の壁面に設けられ、少なくとも１つの壁部材１１０を固定する固定部材１５０，２５０，３５０によれば、少なくとも１つの壁部材１１０を固定する位置を決めるための係止部１８０，２８０，３８０ａ〜３８０ｃと、係止部１８０，２８０，３８０ａ〜３８０ｃによって位置決めされた少なくとも１つの壁部材１１０によって覆われる被覆部１６５，２６５，３６５と、係止部１８０，２８０，３８０ａ〜３８０ｃによって位置決めされた少なくとも１つの壁部材１１０によって被覆されない露出部１６０，２６０，３６０と、を備えている。このような固定部材１５０，２５０，３５０であれば、係止部１８０，２８０，３８０ａ〜３８０ｃに壁部材１１０のスリット１３０を嵌め込むことによって、壁部材１１０が壁１０に対して固定される適切な位置に位置決めすることができる。したがって、このような固定部材１５０，２５０，３５０であれば、従来に比べ、建物の外壁や内壁の壁面に壁部材を取付けるときに、容易且つ簡便に壁部材を取付けることができる。
【００３４】
また、上述の実施形態の固定部材１５０，２５０，３５０によれば、建物の壁１０の壁面に設けられる部分である被覆部１６５，２６５，３６５および係止部１８０，２８０，３８０ａ〜３８０ｃと、露出部１６０，２６０，３６０に形成された切り取られる部分と、が形成されていてもよい。このような固定部材１５０，２５０，３５０であれば、例えば、壁１０の上下方向で最上段となる位置に取付けられた複数の固定部材１５０，２５０，３５０であって、露出部１６０，２６０，３６０の露出が不要な部分において、切断線１７０，２７０，３７０で露出部１６０，２６０，３６０を切り取ることができる。したがって、このような固定部材１５０，２５０，３５０であれば、建物の外壁や内壁の壁面に壁部材１１０を取付けるときに、美観性を損なわず容易且つ簡便に壁部材を取付けることができる。
【００３５】
さらに、上述の実施形態の固定部材１５０，２５０，３５０によれば、露出部１６０，２６０，３６０には、色彩または装飾が施された意匠が施されていてもよい。このような固定部材１５０，２５０，３５０であれば、壁１０の正面から視認可能に露出している露出部１６０，２６０，３６０において、色彩または装飾が施された意匠が視認可能となる。したがって、このような固定部材１５０，２５０，３５０であれば、建物の外壁や内壁の壁面に壁部材１１０を取付けるときに、美観性を損なわず容易且つ簡便に壁部材を取付けることができる。
【００３６】
上述の実施形態の固定部材１５０，２５０，３５０を用いて建物の壁１０の壁面に複数の壁部材１１０を固定した壁構造１００，２００，３００によれば、壁１０の壁面に複数の固定部材１１０が取付けられており、複数の固定部材１５０，２５０，３５０のうちの１つの固定部材１５０，２５０，３５０の係止部１８０，２８０，３８０ａ〜３８０ｃによって少なくとも１つの壁部材１１０が位置決めされ、係止部１８０，２８０，３８０ａ〜３８０ｃによって位置決めされた少なくとも１つの壁部材１１０と並べて位置決めされた複数の壁部材１００のうちの１つの壁部材１１０と少なくとも１つの壁部材１１０との間の目地において露出部１６０，２６０，３６０が露出していてもよい。このような壁構造１００，２００，３００であれば、係止部１８０，２８０，３８０ａ〜３８０ｃに壁部材１１０のスリット１３０を嵌め込むことによって、壁部材１１０が壁１０に対して固定される適切な位置に位置決めすることができる。したがって、このような壁構造１００，２００，３００であれば、従来のように目地材を用いたり目地の部分を覆うような形状の壁部材を用いたりする場合に比べ、建物の外壁や内壁の壁面に壁部材を取付けるときに、容易且つ簡便に壁部材を取付けることができる。
【００３７】
［その他の実施形態］
上述した実施形態の固定部材１５０，２５０，３５０において、露出部１６０，２６０，３６０や被覆部３６５の装飾は朱色の網目模様等であったが、美観性を向上させたり損なわなかったりするような装飾であればどのような態様であってもよい。例えば、露出部１６０，２６０，３６０や被覆部３６５において、所定の色彩の凹凸が形成された装飾、所定の形状の孔で壁１０の一部が視認可能となった装飾等が施されていてもよい。これらの固定部材を用いたとしても、上述の実施形態と同様の効果を奏することができる。
【００３８】
上述した実施形態の壁部材１１０において、壁部材１１０は、略直方体の形状のせっ器質のものであったが、建物の壁１０に取付けることができるものであればどのような形状および材質であってもよい。例えば、壁部材において、略立方体や略円柱状等の形状のもの、ガラス製や樹脂製等の材質のものであってもよい。また、上述した実施形態の固定部材１５０，２５０，３５０は、ポリ塩化ビニル製の成型品であったが、露出部１６０，２６０，３６０を切取ることができるものであれば、どのような材質であってもよい。例えば、固定部材において、ポリ塩化ビニル以外の樹脂（例えば、ＡＢＳ樹脂）からなるものや、紙製等の材質のものであってもよい。これらの固定部材や壁部材を用いたとしても、上述の実施形態と同様の効果を奏することができる。
【００３９】
上述した実施形態の壁構造１００，２００，３００において、壁部材１１０は、スリット１３０に塗布された接着剤等によって固定部材１５０，２５０，３５０に固定されるものとしたが、固定されれば接着剤等が塗布される箇所はこれに限定されない。例えば、固定部材１５０，２５０，３５０の被覆部１６５，２６５，３６５において、接着剤が塗布されたり両面テープが設けられていたりして壁部材１１０を固定するようにしてもよい。
【００４０】
上述した第２実施形態の壁構造２００や第３実施形態の壁構造３００では、１つの固定部材２５０、３５０に３つの壁部材１１０を固定するものとしたが、例えば、３つの壁部材１１０が一体となった構成の壁部材を１つの固定部材２５０、３５０に取付けるような構造であってもよい。そして、上述した実施形態の固定部材１５０，２５０，３５０において、１つ又は３つの壁部材１１０が取付けられる形状のものとしたが、２つ又は４つ以上の壁部材１１０が取付けられる構造であってもよい。また、２つの壁部材１１０や４つ以上の壁部材１１０が一体となった構成の壁部材を用いてもよい。これらの壁構造、固定部材、壁部材を用いたとしても、上述の実施形態と同様の効果を奏することができる。
【００４１】
上述した実施形態の固定部材１５０，２５０，３５０において、係止部１８０，２８０，３８０ａ〜３８０ｃは表面に対して約６０度をなす突起であったが、壁部材１１０が位置決めできて取付けられる形状であればどのような形状であってもよい。このような形状の一例としては、図４（Ａ）および（Ｂ）に示すような固定部材４５０，５５０が考えられ、以下に、図４（Ａ）および（Ｂ）を参照して、これらの固定部材４５０，５５０の形状について説明する。図４は、その他の実施形態としての固定部材４５０，５５０を説明する図であり、（Ａ）は固定部材４５０における係止部４８０の部分の斜視図であり、（Ｂ）は固定部材５５０における係止部５８０の部分の斜視図である。
【００４２】
図４（Ａ）に示すように、固定部材４５０は、第１実施形態の固定部材１５０等と同様の樹脂製の成形品であり、固定部材１５０と同様の形状の露出部、被服部、切取線と、固定部材１５０とは異なる形状の係止部４８０と、が形成されている。係止部４８０は、固定部材４５０の表面の下辺に形成されており、表面に対して約６０度をなす突起であるものの、先端にかえしが形成されている。なお、このような固定部材４５０に取付けられる壁部材としては、スリットにおいて、係止部４８０のかえしが嵌合するような形状になっているものが考えられる。そして、このような壁部材を固定部材４５０に取付けると、壁部材のスリットに固定部材４５０のかえしが嵌まり込むことによって、位置決めされるとともに上述の実施形態の壁構造１００〜３００に比べて抜け難いものとなる。したがって、このような固定部材４５０であれば、上述の実施形態の固定部材１５０，２５０，３５０と同様の効果を奏するとともに、固定部材１５０，２５０，３５０を用いた壁構造１００〜３００に比べて、より位置決めを確実にすることができる。また、上述の実施形態の壁構造１００〜３００では、壁部材１１０のスリット１３０に接着剤等を塗布して固定部材１５０，２５０，３５０に壁部材１１０を固定させていたが、この固定部材４５０を用いた壁構造であれば、接着剤等を塗布しないでも壁部材を固定部材４５０に固定できるような構成にもすることができる。
【００４３】
図４（Ｂ）に示すように、固定部材５５０は、第１実施形態の固定部材１５０等と同様の樹脂製の成形品であり、固定部材１５０と同様の形状の露出部、被服部、切取線と、固定部材１５０とは異なる形状の係止部５８０と、が形成されている。係止部５８０は、固定部材５５０の表面の下辺に形成されており、表面に対して約６０度をなす複数の突起からなるものの、先端が球状に形成されている。なお、このような固定部材５５０に取付けられる壁部材としては、スリットにおいて、係止部５８０の球状の先端が嵌合するような形状になっているものが考えられる。そして、このような壁部材を固定部材５５０に取付けると、壁部材のスリットに固定部材５５０の球状の先端が嵌まり込むことによって、位置決めされるとともに上述の実施形態の壁構造１００〜３００に比べて抜け難いものとなる。したがって、このような固定部材５５０であれば、上述の固定部材４５０と同様の効果を奏することができる。
【００４４】
以上、実施形態、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【符号の説明】
【００４５】
１０… 壁、１００，２００，３００…壁構造、１１０，１１０ａ〜１１０ｆ…壁部材、１５０，２５０，３５０，４５０，５５０…固定部材、１６０，２６０，３６０…露出部（露出部、切取部、意匠部）、１６５，２６５，３６５…被覆部（被覆部、設置部）、１８０，２８０，３８０ａ〜３８０ｃ…係止部（位置決め部、設置部）。
【図１−１】
2020139374.tif 000003
【図１−２】
2020139374.tif 000004
【図１−３】
2020139374.tif 000005
【図２】
2020139374.tif 000006
【図３】
2020139374.tif 000007
【図４】
2020139374.tif 000008